(57)【要約】【課題】取付作業性を良好にでき、コスト面で有利であって汎用性に優れる照明器具を提供する。【解決手段】照明器具１０は、直管ランプ１４に有するピン２１の配列方向とＬＥＤユニット２５の光軸方向とが直交し、ソケット１２が、器具本体１１に支持されるソケット本体２９と、直管ランプ１４のピン２１が挿入される溝３４を設けたピン保持部３０とを有し、ピン保持部３０の軸線を中心としてピン保持部３０がソケット本体２９に対して回動可能であり、ピン保持部３０の溝３４に沿ってピン２１が挿入された状態から、ソケット本体２９に対してピン保持部３０が９０度未満の所定の第１角度まで回動したときに通電し、第１角度を超えて９０度未満の所定の第２角度まで回動したときに通電を遮断する。【選択図】図１
2013069421.tif 000002
【特許請求の範囲】
【請求項１】
器具本体と、
前記器具本体の両端に取り付けられる一対のソケットと、
前記一対のソケットに取り付けられる直管ランプとを備え、
前記直管ランプが、
透光性を有する筒部に収容され、かつ、前記筒部の長手方向に沿って配列された複数のＬＥＤユニットと、
前記筒部の長手方向両端部にそれぞれ設けられた一対の口金と、
前記各口金のうちの少なくとも一方における端面に設けられた複数のピンと、を有するとともに、
前記各ピンの配列方向と前記各ＬＥＤユニットの光軸方向とが直交し、
前記ソケットが、
前記器具本体に支持されるソケット本体と、
前記直管ランプの前記ピンが挿入される溝を設けたピン保持部とを有し、
前記ピン保持部の軸線を中心として前記ピン保持部が前記ソケット本体に対して回動可能であり、
前記ピン保持部の前記溝に沿って前記各ピンが挿入された状態から、前記ソケット本体に対して前記ピン保持部が９０度未満の所定の第１角度まで回動したときに通電し、前記第１角度を超えて９０度未満の所定の第２角度まで回動したときに通電を遮断する照明器具。
【請求項２】
請求項１に記載の照明器具において、
前記第１角度と前記第２角度との間において前記直管ランプを軸回動させたときに所定間隔でクリック感が生じる係合部を備える照明器具。
【発明の詳細な説明】
【技術分野】
【０００１】
本発明は、ＬＥＤを有する直管型ＬＥＤランプを光源として天井面等に設置される照明器具に関する。
【背景技術】
【０００２】
従来より、回転シートと、二つのピンと、カバーと、ケースとを備え、回転シートが第１位置決調整構造を備え、カバーが第２位置決調整構造を備えるＬＥＤランプコネクタを装備した照明器具が知られている（例えば、特許文献１参照）。
特許文献１は、第１位置決調整構造が第２位置決調整構造に対応して組み合わされることにより、ＬＥＤランプを任意方向に配光できる。
【先行技術文献】
【特許文献】
【０００３】
【特許文献１】実用新案登録第３１５３４０１号公報（図４、段落０００９）
【発明の概要】
【発明が解決しようとする課題】
【０００４】
特許文献１は、回転シートを回転させることによりＬＥＤランプの二つのピンの角度を変えられるようにし、それによりＬＥＤランプの照射方向を正確にできる。
しかし、特許文献１は、回転シートに備えた第１位置決調整構造と、カバーに備えた第２位置決調整構造とを組み合わせる構造である。
従って、特許文献１は、第１位置決調整構造と第２位置決調整構造とより複雑な構造になる。
そして、特許文献１は、あらかじめ決められたピンの数にのみ対応する構造である。
従って、特許文献１は、汎用性に乏しい。
【０００５】
ところで、ソケットを直管型ＬＥＤランプとともに回動させる照明器具が提案されている。
図９に示すように、従来の照明器具１００は、直管型ＬＥＤランプ１０１に一対のピン１０２を備えており、ガラス管１０３にＬＥＤ１０４を有するＬＥＤユニット１０５が収容されている。
ソケット１０６は、ピン１０２が挿入されるピン保持部１０７を備えている。
【０００６】
このような従来の照明器具１００は、直管型ＬＥＤランプ１０１の取り付けにあたり、直管型ＬＥＤランプ１０１のピン１０２がソケット１０６のピン保持部１０７に挿入される。
図１０に示すように、次に、直管型ＬＥＤランプ１０１がほぼ９０度回動される。直管型ＬＥＤランプ１０１が９０度回動されることにより、ピン１０２の配列方向が垂直方向から水平方向に変更される。
【０００７】
図１１に示すように、ピン１０２の配列方向が水平方向に変更されることにより、ピン１０２がソケット１０６内に収容されている不図示のピン受端子に電気的に接続されて、ＬＥＤユニット１０５が点灯可能となる。
図１２に示すように、従来の照明器具１００は、ピン１０２の配列方向が垂直方向の位置Ａ５０にあるときに、通電回路は形成されず、ピン１０２の配列方向が垂直方向から９０度よりも小さい位置Ａ５１まで回動されたときも、通電回路は形成されない。
【０００８】
そして、ピン１０２の配列方向が９０度よりも小さい位置Ａ５１を超えて９０度を超えた位置Ａ５２まで回動されたときに通電回路が形成される。
照明器具１００は、ピン１０２の配列方向が位置Ａ５１から９０度を超えた位置Ａ５３までの間を交差角度Ａ５４としている。
【０００９】
しかし、従来の照明器具１００は、ピン１０２の配列方向を９０度回動させるように直管型ＬＥＤランプ１０１が回動されることにより、下方に向けた配光特性を有する。
従って、従来の照明器具１００は、黒板等のボードに設置されて傾斜した配光特性を設定する場合に、照明器具１００の全体を斜めに設置しなければならない。
【００１０】
本発明は、前述した課題を解決するためになされたものであり、その目的は、取付作業性を良好にでき、コスト面で有利であって汎用性に優れる照明器具を提供することにある。
【課題を解決するための手段】
【００１１】
本発明に係る照明器具は、器具本体と、前記器具本体の両端に取り付けられる一対のソケットと、前記一対のソケットに取り付けられる直管ランプとを備え、前記直管ランプが、透光性を有する筒部に収容され、かつ、前記筒部の長手方向に沿って配列された複数のＬＥＤユニットと、前記筒部の長手方向両端部にそれぞれ設けられた一対の口金と、前記各口金のうちの少なくとも一方における端面に設けられた複数のピンと、を有するとともに、前記各ピンの配列方向と前記各ＬＥＤユニットの光軸方向とが直交し、前記ソケットが、前記器具本体に支持されるソケット本体と、前記直管ランプの前記ピンが挿入される溝を設けたピン保持部とを有し、前記ピン保持部の軸線を中心として前記ピン保持部が前記ソケット本体に対して回動可能であり、前記ピン保持部の前記溝に沿って前記各ピンが挿入された状態から、前記ソケット本体に対して前記ピン保持部が９０度未満の所定の第１角度まで回動したときに通電し、前記第１角度を超えて９０度未満の所定の第２角度まで回動したときに通電を遮断する。
【００１２】
本発明に係る照明器具は、前記第１角度と前記第２角度との間において前記直管ランプを軸回動させたときに所定間隔でクリック感が生じる係合部を備える。
【発明の効果】
【００１３】
本発明に係る照明器具によれば、取付作業性を良好にでき、コスト面で有利であって汎用性に優れるという効果を奏する。
【図面の簡単な説明】
【００１４】
【図１】本発明に係る一実施形態の照明器具の分解斜視図
【図２】本発明に係る一実施形態の照明器具のソケットの分解斜視図
【図３】本発明に係る一実施形態の照明器具のソケットの外観斜視図
【図４】本発明に係る一実施形態の照明器具の基本的な通電状態図
【図５】本発明に係る一実施形態の照明器具のソケットへの直管型ＬＥＤランプの取付手順を説明する第１段階のソケット周りの正面図
【図６】本発明に係る一実施形態の照明器具のソケットへの直管型ＬＥＤランプの取付手順を説明する第２段階のソケット周りの正面図
【図７】本発明に係る一実施形態の照明器具のソケットへの直管型ＬＥＤランプの取付手順の第２段階におけるソケットの正面図
【図８】本発明に係る一実施形態の照明器具の変形例のソケットの外観斜視図
【図９】従来の照明器具のソケットへの直管型ＬＥＤランプの取付手順を説明する第１段階のソケット周りの正面図
【図１０】従来の照明器具のソケットへの直管型ＬＥＤランプの取付手順を説明する第２段階のソケット周りの正面図
【図１１】従来の照明器具のソケットへの直管型ＬＥＤランプの取付手順を説明する第３段階のソケット周りの正面図
【図１２】従来の照明器具の通電状態図
【発明を実施するための形態】
【００１５】
以下、本発明に係る一実施形態の照明器具について図面を参照して説明する。
図１に示すように、本発明に係る一実施形態の照明器具１０は、器具本体１１と、器具本体１１の一端部に取り付けられた給電側ソケット１２と、器具本体１１の他端部に取り付けられた接地側ソケット１３とを備える。
また、照明器具１０は、給電側ソケット１２と接地側ソケット１３とに電気的に接続されて機械的に取り付けられる直管型ＬＥＤランプ１４を備える。
そして、照明器具１０は、直管型ＬＥＤランプ１４の上方に配置されて器具本体１１に取り付けられる反射板１５を備える。
照明器具１０は、不図示の天井面や黒板等のボードに設置されるベースライトである。
【００１６】
器具本体１１は、厚みの薄い金属製板部材を折曲することにより下方を開口させて成形されている。
器具本体１１は、内側の下面に電源端子台１６と、電源ブロック１７とを取り付けている。
電源端子台１６には、不図示の外部配線が接続されるとともに、同じく不図示の器具配線が電源ブロック１７に接続される。電源ブロック１７は、同じく不図示の器具配線を通じて給電側ソケット１２および接地側ソケット１３に接続される。
【００１７】
直管型ＬＥＤランプ１４は、断面がほぼ円形状であって透光性を有するガラス管１８の長手方向の一端部に第１口金１９を有し、ガラス管１８の長手方向の他端部に第２口金２０を有する。
そして、直管型ＬＥＤランプ１４は、第１口金１９の端面に複数の給電側ピン２１を有し、第２口金２０の端面に単一の接地側ピン２２を有する。
なお、給電側ピン２１および接地側ピン２２の数は、図示した２本の給電側ピン２１および１本の接地側ピン２２に限定されず、内部回路に応じて適宜設定される。
【００１８】
直管型ＬＥＤランプ１４は、ガラス管１８内に、複数のＬＥＤ２３がガラス管１８の軸方向に封止されたＬＥＤ基板２４を有する複数のＬＥＤユニット２５を内蔵している。
複数のＬＥＤユニット２５は、コ字形状に形成されてＬＥＤ基板２４に固定されたヒートシンク２６を含む。
ここで、ＬＥＤユニット２５のＬＥＤ２３は、その光軸方向Ｘが、給電側ピン２１の配列方向Ｙと直交して配置されている。
【００１９】
直管型ＬＥＤランプ１４は、被照射対象に向けた照射範囲がガラス管１８の全周に対して１／２ないし２／３である。
直管型ＬＥＤランプ１４は、給電側ソケット１２から給電された直流電流が給電側ピン２１から接地側ピン２２を通じて接地側ソケット１３に流れることにより、ＬＥＤ基板２４に有する不図示のプリント回路に直流電流が供給されてＬＥＤ２３が発光される。
【００２０】
反射板１５は、器具本体１１と同様に、厚みの薄い金属製板部材により形成されており、下面が反射機能を有する白色や乳白色に塗装されている。
反射板１５は、両端部に、給電側ソケット１２および接地側ソケット１３を挿入させるための給電側ソケット逃部２７および接地側ソケット逃部２８を有する。
【００２１】
次に、給電側ソケット１２および接地側ソケット１３について詳細に説明する。
なお、給電側ソケット１２および接地側ソケット１３は、同一構造を有するために、ここでは、接地側ソケット１３の説明は省略する。
図２に示すように、給電側ソケット１２は、器具本体１１に取り付けられるソケット本体２９と、このソケット本体２９とは独立していてソケット本体２９に回動可能に取り付けられるピン保持部３０とを備えている。
【００２２】
ソケット本体２９は、例えば非導電部材である樹脂製であって、器具本体１１に有する不図示のソケット装着部に差し込まれる一対の取付溝３１を有する。
ソケット本体２９は、直管型ＬＥＤランプ１４の軸方向に沿って円筒形状に形成された本体側支持部３２を有する。
ソケット本体２９は、本体側支持部３２の端面の円周方向に、係合部の一方を構成する複数の係合突起３３を円周方向の等間隔に２０度刻みで有する。
ソケット本体２９は、内部に直管型ＬＥＤランプ１４の給電側ピン２１に電気的に接触する不図示の複数のピン受端子を収容している。ピン受端子は、電源ブロック１７に電気的に接続される。
【００２３】
一方、ピン保持部３０は、ソケット本体２９と同様の樹脂製であって、ソケット本体２９の本体側支持部３２と同等の外径寸法を有する円筒形状に形成されている。
そして、ピン保持部３０は、直管型ＬＥＤランプ１４の給電側ピン２１を挿入させるための溝３４を径方向に有する。
さらに、ピン保持部３０は、ソケット本体２９の複数の係合突起３３に対面するものとして、係合部の他方を構成する複数の係合突起受３５を端面の円周方向に等間隔に２０度刻みで有する。
【００２４】
図３に示すように、給電側ソケット１２は、ピン保持部３０がソケット本体２９の筒内に挿入されて不図示の連結手段により結合される。
このとき、ピン保持部３０の係合突起受３５がソケット本体２９の係合突起３３に係合されることにより、ピン保持部３０は、クリック感を伴ってソケット本体２９に対して２０度刻みで係止可能にして回動される。
【００２５】
次に、給電側ソケット１２の基本的な通電状態について説明する。
図４に示すように、給電側ソケット１２は、ピン保持部３０の溝３４に沿って直管型ＬＥＤランプ１４の給電側ピン２１が挿入された状態から、ソケット本体２９に対してピン保持部３０が９０度未満の所定の第１角度Ａ１まで回動したときに通電回路を形成する。
そして、給電側ソケット１２は、ピン保持部３０がソケット本体２９に対して第１角度Ａ１を超えて９０度未満の所定の第２角度Ａ２まで回動したときに通電回路を遮断する。
【００２６】
続いて、給電側ソケット１２への直管型ＬＥＤランプ１４の具体的な取付手順について説明する。
図５に示すように、ピン保持部３０の溝３４が垂直方向に向いている取付位置Ａ０にあるときに、給電側ピン２１の配列方向Ｘを垂直方向に配置した直管型ＬＥＤランプ１４を給電側ソケット１２に下方から進行させていく。
配列方向Ｘが垂直方向に配置されている給電側ピン２１は、ピン保持部３０の溝３４に挿入されていく。
このとき、給電側ピン２１は、ピン保持部３０の溝３４に挿入されただけで、ピン受端子に接触していない。
【００２７】
図６に示すように、次に、直管型ＬＥＤランプ１４が図６中の時計回転方向に押圧回動される。これに同期して、溝３４に給電側ピン２１が挿入されているピン保持部３０が図６中の時計回転方向に通電位置（第１角度Ａ１）Ａ３まで回動される。
これにより、給電側ピン２１がピン受端子に接触されて給電側ピン２１に通電回路が形成される。
このとき、直管型ＬＥＤランプ１４は、ＬＥＤユニット２５の光軸Ａが下方に対して傾斜して設定される。つまり、直管型ＬＥＤランプ１４は、黒板等のボードを照射する方向に光軸Ａが向けられる。
【００２８】
図７に示すように、ピン保持部３０が、クリック感を伴ってソケット本体２９に対して取付位置Ａ０から第１位置Ａ３まで２０度だけ図７中において時計回転方向に回動されることにより、給電側ピン２１がピン受端子に接触される。
そして、ピン保持部３０が、第１位置Ａ３から図７中において時計回転方向にさらに回動されて、９０度未満の第２位置（第２角度Ａ２）Ａ４を超えたときに、給電側ピン２１がピン受端子から非接触状態となって通電回路が遮断される。
【００２９】
次に、照明器具１０の変形例について説明する。
図８に示すように、本変形例は、回動するピン保持部３０に目印４１が設けられており、ソケット本体２９の使用者が見えやすい場所に、通電範囲Ｚを示す目印４２が目印４１に対面するように設けられている。
なお、目印４１は、図示する三角マークに代えて丸マーク等を適用することができ、目印４２は、図示する模様に代えて通電範囲Ｚを表示する一対の三角マーク等を適用することができる。
【００３０】
以上、説明した本発明に係る一実施形態の照明器具１０によれば、ピン保持部３０の溝３４に沿って給電側ピン２１が挿入された状態から、ソケット本体２９に対してピン保持部３０が９０度未満の所定の第１角度Ａ１まで回動したときに通電回路が形成される。
従って、照明器具１０によれば、従来のものと比べて、取付作業性を良好にできる。
また、照明器具１０によれば、従来のものと比べて、はるかに簡単な構造であるために、コスト面で有利にできる。
そして、照明器具１０によれば、給電側ピン２１の数に制約を受けないために、汎用性を向上できる。
【００３１】
また、照明器具１０によれば、ピン保持部３０の係合突起受３５がソケット本体２９の係合突起３３にクリック感を伴って係合されるために、使用者が、自ら設定した配光角度を簡単に認識できる。
【００３２】
そして、変形例の照明器具１０によれば、使用者が、ピン保持部３０とソケット本体２９との通電範囲Ｚに対する位置合わせを簡単にできる。
【００３３】
なお、本発明の照明器具において器具本体、反射板、電源端子台、電源ブロック等は、前述した一実施形態に限定されるものでなく、適宜な変形や改良等が可能である。
【符号の説明】
【００３４】
１０  照明器具
１１  器具本体
１２  給電側ソケット（ソケット）
１３  接地側ソケット（ソケット）
１４  直管型ＬＥＤランプ（直管ランプ）
１８  ガラス管（筒部）
１９  第１口金（口金）
２０  第２口金（口金）
２１  給電側ピン（ピン）
２５  ＬＥＤユニット
２９  ソケット本体
３０  ピン保持部
３３  係合突起（係合部）
３４  溝
３５  係合突起受（係合部）
【図１】
2013069421.tif 000003
【図２】
2013069421.tif 000004
【図３】
2013069421.tif 000005
【図４】
2013069421.tif 000006
【図５】
2013069421.tif 000007
【図６】
2013069421.tif 000008
【図７】
2013069421.tif 000009
【図８】
2013069421.tif 000010
【図９】
2013069421.tif 000011
【図１０】
2013069421.tif 000012
【図１１】
2013069421.tif 000013
【図１２】
2013069421.tif 000014